(57)【要約】【課題】熱湯からの熱伝導を好適に抑制することができる混合水栓を提供する。【解決手段】混合水栓１は、熱湯が流通する混合用熱湯流通路ＨＭ、吐出用熱湯流通路ＨＤ（熱湯流通路）と、水が流通する水流通路Ｃと、混合用熱湯流通路ＨＭ、吐出用熱湯流通路ＨＤから水流通路Ｃへの熱伝導を抑制する樹脂製の本体部３０（伝熱抑制部）とを備える。また、混合水栓１は、熱湯と水とを混合した混合湯又は水が流通する湯水流通路Ｍを備えることができ、この場合、伝熱抑制部としての本体部３０は、混合用熱湯流通路ＨＭ、及び吐出用熱湯流通路ＨＤから湯水流通路Ｍへの熱伝導を抑制する。【選択図】図２
2019044387.tif 000002
【特許請求の範囲】
【請求項１】
熱湯と水とを混合した混合湯又は水及び熱湯を吐出する混合水栓であって、
熱湯が流通する熱湯流通路と、
水が流通する水流通路と、
前記熱湯流通路から前記水流通路への熱伝導を抑制する伝熱抑制部と、
を備えていることを特徴とする混合水栓。
【請求項２】
熱湯と水とを混合した混合湯又は水が流通する湯水流通路を備えており、
前記伝熱抑制部は、前記熱湯流通路から前記湯水流通路への熱伝導を抑制することを特徴とする請求項１記載の混合水栓。
【請求項３】
内部に前記熱湯流通路、前記水流通路、及び前記湯水流通路が形成されるとともに、前記熱湯流通路からの熱湯及び前記水流通路からの水を混合して前記湯水流通路に流出する混合弁を有した本体部が設けられており、
前記伝熱抑制部は樹脂製の前記本体部を有して構成されていることを特徴とする請求項２記載の混合水栓。
【請求項４】
前記本体部に熱湯を供給する給湯部と、
前記本体部に水を供給する給水部と、
前記給湯部と前記給水部との間に配置された前記本体部と、が設けられており、
前記伝熱抑制部は、前記給湯部から前記給水部への熱伝導を抑制することを特徴とする請求項３記載の混合水栓。
【請求項５】
熱湯を供給する給湯部と、
水を供給する給水部と、
前記本体部を収納するとともに、前記給湯部及び前記給水部に取り付けられた金属製のケース部材と、
前記ケース部材内に配され、前記給湯部と前記本体部とを接続して前記給湯部からの熱湯を前記本体部に供給する熱湯用接続管と、
前記ケース部材内に配され、前記給水部と前記本体部とを接続して前記給水部からの水を前記本体部に供給する水用接続管と、が設けられており、
前記伝熱抑制部は、樹脂製の前記熱湯用接続管及び樹脂製の前記水用接続管を有して構成されていることを特徴とする請求項３記載の混合水栓。
【請求項６】
内部に前記熱湯流通路及び前記湯水流通路が形成されるとともに、上流側の端部が前記本体部に接続されており、下流側の端部に前記熱湯流通路を形成する熱湯流通管部材及び前記湯水流通路を形成する湯水流通管部材が夫々接続される連結部を備えており、
前記伝熱抑制部は樹脂製の前記連結部を有して構成されていることを特徴とする請求項３乃至５のいずれか一項に記載の混合水栓。
【請求項７】
前記熱湯流通路を形成する熱湯流通管部材及び前記湯水流通路を形成する湯水流通管部材が内部に配された吐出管が設けられており、
前記伝熱抑制部は、前記熱湯流通管部材から前記湯水流通管部材への熱伝導を抑制することを特徴とする請求項２乃至６のいずれか一項に記載の混合水栓。
【発明の詳細な説明】
【技術分野】
【０００１】
本発明は混合水栓に関するものである。
【背景技術】
【０００２】
特許文献１は従来の混合水栓を開示している。この混合水栓は、給湯部、給水部及び本体部を備えている。給湯部、給水部及び本体部は、本体部を間に挟む形態で並んで配置されている。本体部は混合弁を有している。混合弁は、給湯部から供給される熱湯と給水部から供給される水とを混合した混合湯、又は水を流出する。混合弁を経由した混合湯又は水は、本体部下方に設けられた吐出管から吐出される。
【先行技術文献】
【特許文献】
【０００３】
【特許文献１】特開２０００−９６６４４号公報
【発明の概要】
【発明が解決しようとする課題】
【０００４】
特許文献１のような従来の混合水栓の場合、本体部には、熱湯や水を混合弁に供給するための流路が形成されている。しかし、このような混合水栓の本体部は通常金属製であるため、流路を流通する熱湯の熱が、流路壁を介して、流路を流通する水や混合湯に伝わり、加温されてしまうといった課題があった。
【０００５】
本発明は、上記従来の実情に鑑みてなされたものであって、熱湯からの熱伝導を好適に抑制することができる混合水栓を提供することを解決すべき課題としている。
【課題を解決するための手段】
【０００６】
本発明の混合水栓は、
熱湯と水とを混合した混合湯又は水及び熱湯を吐出する混合水栓であって、
熱湯が流通する熱湯流通路と、
水が流通する水流通路と、
前記熱湯流通路から前記水流通路への熱伝導を抑制する伝熱抑制部と、
を備えていることを特徴とする。
【０００７】
この混合水栓は、伝熱抑制部を備えていることにより、熱湯流通路から水流通路への熱伝導が抑制される。このため、本発明の混合水栓は、熱湯流通路内の熱湯の熱が水流通路内の水に伝導して水が加温されてしまうのを抑制することができる。
【０００８】
したがって、本発明の混合水栓は、熱湯からの熱伝導を好適に抑制することができる。
【図面の簡単な説明】
【０００９】
【図１】実施例１に係る混合水栓を示す斜視図である。
【図２】実施例１に係る混合水栓の各流通路の形態を模式的に示す図である。
【図３】実施例１に係る混合水栓を示す正面断面図である。
【図４】図３の矢視ＩＶ−ＩＶ断面図である。
【図５】図３の矢視Ｖ−Ｖ断面図である。
【図６】実施例１に係る混合水栓において、各流通路の形態を説明するための図である。
【図７】図６の要部拡大図であり、吐出管の基端側を示す図である。
【図８】図６の要部拡大図であり、吐出管の先端側を示す図である。
【図９】実施例２に係る混合水栓を示す平面断面図である。
【発明を実施するための形態】
【００１０】
本発明における好ましい実施の形態を説明する。
【００１１】
本発明の混合水栓は、熱湯と水とを混合した混合湯又は水が流通する湯水流通路を備え得る。そして、前記伝熱抑制部は、前記熱湯流通路から前記湯水流通路への熱伝導を抑制し得る。この場合、伝熱抑制部は、熱湯流通路から湯水流通路への熱伝導を抑制するので、熱湯流通路内の熱湯の熱が湯水流通路内の混合湯又は水に伝導して混合湯又は水が加温されてしまうのを抑制することができる。
【００１２】
本発明の混合水栓は、内部に前記熱湯流通路、前記水流通路、及び前記湯水流通路が形成されるとともに、前記熱湯流通路からの熱湯及び前記水流通路からの水を混合して前記湯水流通路に流出する混合弁を有した本体部が設けられており、前記伝熱抑制部は樹脂製の前記本体部を有して構成され得る。この場合、金属と比較して熱伝導率の低い樹脂製の本体部としたことにより、本体部を経由した熱湯流通路から湯水流通路への熱伝導を抑制することができる。
【００１３】
本発明の混合水栓は、
前記本体部に熱湯を供給する給湯部と、
前記本体部に水を供給する給水部と、
前記給湯部と前記給水部との間に配置された前記本体部と、が設けられており、
前記伝熱抑制部は、前記給湯部から前記給水部への熱伝導を抑制し得る。
この場合、伝熱抑制部は、本体部を経由した給湯部から給水部への熱伝導を抑制するので、給湯部の熱湯の熱が給水部の水に伝導して加温されてしまうのを抑制することができる。
【００１４】
本発明の混合水栓は、
熱湯を供給する給湯部と、
水を供給する給水部と、
前記本体部を収納するとともに、前記給湯部及び前記給水部に取り付けられた金属製のケース部材と、
前記ケース部材内に配され、前記給湯部と前記本体部とを接続して前記給湯部からの熱湯を前記本体部に供給する熱湯用接続管と、
前記ケース部材内に配され、前記給水部と前記本体部とを接続して前記給水部からの水を前記本体部に供給する水用接続管と、が設けられており、
前記伝熱抑制部は、樹脂製の前記熱湯用接続管及び樹脂製の前記水用接続管を有して構成され得る。
この場合、ケース部材の材質を金属製とするとともに、熱湯流通管及び水流通管の材質を金属と比較して熱伝導率の低い樹脂としたことにより、機械的強度を確保しつつ、熱湯用接続管及び水用接続管を経由した熱湯流通路から水流通路への熱伝導を抑制することができる。
【００１５】
本発明の混合水栓は、内部に前記熱湯流通路及び前記湯水流通路が形成されるとともに、上流側の端部が前記本体部に接続されており、下流側の端部に前記熱湯流通路を形成する熱湯流通管部材及び前記湯水流通路を形成する湯水流通管部材が夫々接続される連結部が設けられており、前記伝熱抑制部は樹脂製の前記連結部を有して構成され得る。この場合、金属と比較して熱伝導率の低い樹脂製の連結部としたことにより、連結部を経由した熱湯流通路から湯水流通路への熱伝導を抑制することができる。
【００１６】
本発明の混合水栓は、前記熱湯流通路を形成する熱湯流通管部材及び前記湯水流通路を形成する湯水流通管部材が内部に配された吐出管が設けられており、
前記伝熱抑制部は、前記熱湯流通管部材から前記湯水流通管部材への熱伝導を抑制し得る。
この場合、伝熱抑制部は、熱湯流通管部材から湯水流通管部材への熱伝導を抑制するので、熱湯流通管部材の熱湯の熱が湯水流通管部材の混合湯又は水に伝導して加温されてしまうのを抑制することができる。これにより、１つの吐出管内を流通する熱湯や混合湯又は水の間の放熱や吸熱が抑制され、熱湯及び混合湯又は水を好適に吐出することができる。その結果、熱湯と混合湯又は水とを吐出する吐出管を別々に設けた場合と比較して小型化することができ、省スペース化を図ることができる。
【００１７】
次に、本発明の混合水栓を具体化した実施例１及び２について、図面を参照しつつ説明する。なお、以下の説明では、上下の方向については、図２及び図３に表れる向きをそのまま上下方向とし、左右の方向については、図２、図３、及び図９に表れる向きをそのまま左右方向とし、前後の方向については、図４に表れる左方及び図９に表れる下方を前方、図４に表れる右方及び図９に表れる上方を後方として夫々説明する。
【００１８】
＜実施例１＞
実施例１の混合水栓１は、壁取り付け型の水栓である。混合水栓１は、図１〜図５に示すように、給湯部１０、給水部２０、及び本体部３０を備えている。また、混合水栓１は、吐出管４０を備えている。これら各部は、大半を白色の樹脂製カバーにより夫々覆われており、全体として白色を呈する清潔感のある意匠とされている。
【００１９】
給湯部１０は熱湯を供給する。詳細には、給湯部１０は、壁面に引き出された給湯管（図示せず）からの熱湯を本体部３０に供給する。給湯部１０は、図２及び図３に示すように、給湯側取付脚１１及び給湯部本体１２を有している。給湯側取付脚１１は真鍮製で管状に形成されている。また、給湯側取付脚１１には樹脂製のカバー１１Ａが取り付けられている。給湯側取付脚１１は、両端部において異なる方向に屈曲するいわゆるクランク状に形成されている。給湯側取付脚１１は上流端が壁面に引き出された給湯管に接続されている。給湯側取付脚１１は下流端が給湯部本体１２に接続されている。給湯部本体１２は真鍮製で前後方向に延びる管状に形成されている。給湯部本体１２は後端部において給湯側取付脚１１と連通している。
【００２０】
また、図５に示すように、給湯部本体１２の右側面には混合用熱湯流出口１２Ａ及び吐出用熱湯流出口１２Ｂが形成されている。混合用熱湯流出口１２Ａ及び吐出用熱湯流出口１２Ｂは、給湯部本体１２の右側面に前後方向に並んで開口して形成されている。これらのうち、前方の混合用熱湯流出口１２Ａは後述する本体部３０の混合用熱湯流通路ＨＭに連通する。後方の吐出用熱湯流出口１２Ｂは後述する本体部３０の吐出用熱湯流通路ＨＤに連通する。すなわち、給湯部１０は、混合用熱湯流通路ＨＭ及び吐出用熱湯流通路ＨＤの夫々に熱湯を供給するように分岐している。
【００２１】
給水部２０は水を供給する。詳細には、給水部２０は、壁面に引き出された給水管（図示せず）からの水を本体部３０に供給する。給水部２０は、図２及び図３に示すように、給水側取付脚２１及び給水部本体２２を有している。給水側取付脚２１は真鍮製で管状に形成されている。給水側取付脚２１は、給湯側取付脚１１と同様のクランク状に形成されている。給水側取付脚２１は上流端が壁面に引き出された給水管に接続されている。給水側取付脚２１は下流端が給水部本体２２に接続されている。給水部本体２２は真鍮製で前後方向に延びる管状に形成されている。また、図５に示すように、給水部本体２２は後端部において給水側取付脚２１と連通している。また、給水部本体２２の左側面には水流出口２２Ａが形成されている。水流出口２２Ａは後述する本体部３０の水流通路Ｃに連通している。
【００２２】
本体部３０は、図２及び図３に示すように、給湯部１０及び給水部２０の間に設けられている。本体部３０は混合弁３１とハウジング３２とを有している。混合弁３１は給湯部１０から供給される熱湯と給水部２０から供給される水とを混合した混合湯又は給水部２０から供給される水を流出する。混合弁３１は摺動自在に設けられたセラミックス製の複数のディスク弁体を収納したカートリッジ式である。混合弁３１は後述するレバー式ハンドル５０により操作される。
【００２３】
ハウジング３２は耐熱性樹脂であるポリフェニレンスルファイド（ＰＰＳ）製である。ハウジング３２は上下に延びる略円筒形状をなしている。混合弁３１はこのハウジング３２の上部に収納されている。詳細には、図３及び図４に示すように、ハウジング３２は上方に開口した有底の収納空間３２Ａが上部に形成されている。混合弁３１はこの収納空間３２Ａに収納されている。また、ハウジング３２は下方に開口した有底の連結穴３２Ｂが下部に形成されている。連結穴３２Ｂは底部から開口側の端部に向かって段差状に徐々に拡径して形成されている。連結穴３２Ｂは後述する吐出管４０の連結部４１が挿入される。
【００２４】
また、ハウジング３２は、図２〜図５に示すように、混合用熱湯流通路ＨＭ、水流通路Ｃ、湯水流通路Ｍ、及び吐出用熱湯流通路ＨＤが下部に形成されている。すなわち、混合水栓１は、本発明に係る熱湯流通路としての混合用熱湯流通路ＨＭ及び吐出用熱湯流通路ＨＤと、水流通路Ｃと、湯水流通路Ｍとを備えている。混合用熱湯流通路ＨＭは混合弁３１に熱湯を供給する流通路である。混合用熱湯流通路ＨＭは、ハウジング３２の左側面前方に形成された混合用熱湯流入口３２Ｃに給湯部１０からの熱湯が導入され、その熱湯が流通する（図５参照）。混合用熱湯流通路ＨＭは、混合用熱湯流入口３２Ｃから右方に延びるとともに、ハウジング３２の中央部で上方に屈曲して形成されている。混合用熱湯流通路ＨＭは下流端が収納空間３２Ａの底部に開口して混合弁３１に接続されている。
【００２５】
水流通路Ｃは混合弁３１に水を供給する流通路である。水流通路Ｃは、ハウジング３２の右側面前方に形成された水流入口３２Ｄに給水部２０からの水が導入され、その水が流通する。水流通路Ｃは、水流入口３２Ｄから左方に延びるとともに、ハウジング３２の中央部で上方に屈曲して形成されている。水流通路Ｃは下流端が収納空間３２Ａの底部に開口して混合弁３１に接続されている。
【００２６】
湯水流通路Ｍは、混合弁３１により混合された混合湯又は水が流通する流通路である。湯水流通路Ｍは、上流端が収納空間３２Ａの底部に開口しているとともに、下流端が連結穴３２Ｂの底部に開口している。すなわち、湯水流通路Ｍは、収納空間３２Ａと連結穴３２Ｂとを連通する形態で上下に延びている。湯水流通路Ｍを流通した混合湯又は水は、吐出管４０を経由して、吐出管４０の先端部に形成された湯水吐出口４５Ａから吐出される。
【００２７】
吐出用熱湯流通路ＨＤは、吐出される熱湯が流通する流通路である。吐出用熱湯流通路ＨＤは混合用熱湯流通路ＨＭとは別系統の熱湯流通路である。吐出用熱湯流通路ＨＤは混合弁３１の下方に形成されている。吐出用熱湯流通路ＨＤは、ハウジング３２の左側面であり、混合用熱湯流入口３２Ｃの後方に形成された吐出用熱湯流入口３２Ｅから右方に向かって延びて形成されている。吐出用熱湯流通路ＨＤは下流端が連結穴３２Ｂの側部に開口して連結部４１に接続されている。吐出用熱湯流通路ＨＤを流通した熱湯は、吐出管４０を経由して、吐出管４０の先端部に形成された熱湯吐出口４３Ｄから吐出される。
【００２８】
実施例１における本体部３０は本発明に係る伝熱抑制部として機能する。すなわち、伝熱抑制部としての本体部３０はハウジング３２を有しており、このハウジング３２は、熱湯流通路としての混合用熱湯流通路ＨＭ及び吐出用熱湯流通路ＨＤと、水流通路Ｃとを内部に形成しており、混合用熱湯流通路ＨＭ及び吐出用熱湯流通路ＨＤから水流通路Ｃへの熱伝導を抑制する。また、ハウジング３２は、湯水流通路Ｍを内部に形成しており、混合用熱湯流通路ＨＭ及び吐出用熱湯流通路ＨＤから湯水流通路Ｍへの熱伝導を抑制する。すなわち、実施例１において、伝熱抑制部は、樹脂製のハウジング３２を有する本体部３０を有して構成されているといえる。また、このような本体部３０を有して構成された伝熱抑制部は、給湯部１０から給水部２０への熱伝導を抑制しているといえる。
【００２９】
図３〜図５に示すように、給湯部１０、給水部２０、及び本体部３０は、夫々の背面（壁面と対向する面）において、ブラケット２に固定されている。ブラケット２は、正面視において左右方向に長い略長方形状をなしている。ブラケット２は、左側から給湯部１０、本体部３０、給水部２０の順に並ぶ形態で夫々を固定している。このように給湯部１０、給水部２０、及び本体部３０の夫々がブラケット２に固定された状態で、給湯部１０、給水部２０、及び本体部３０は、ブラケット２とともにカバー部材３により覆われている。
【００３０】
また、図２及び図５に示すように、本体部３０及び給湯部１０と、本体部３０及び給水部２０とは、夫々接続管１３，１４，２３を介して接続されている。接続管１３，１４，２３は夫々真鍮製である。これらの接続管１３，１４，２３のうち、接続管１３は、上流端が給湯部本体１２の混合用熱湯流出口１２Ａに接続され、下流端が本体部３０のハウジング３２の混合用熱湯流入口３２Ｃに接続されている。接続管１４は、上流端が給湯部本体１２の吐出用熱湯流出口１２Ｂに接続され、下流端が本体部３０のハウジング３２の吐出用熱湯流入口３２Ｅに接続されている。接続管２３は、上流端が給水部本体２２の水流出口２２Ａに接続され、下流端が本体部３０のハウジング３２の水流入口３２Ｄに接続されている。
【００３１】
吐出管４０は本体部３０に回動自在に接続されている。吐出管４０は、本体部３０から回動軸に沿って下方に延びる第１管部４０Ａと、この第１管部４０Ａの下端部から回動軸に交差する方向に直線状に延びる第２管部４０Ｂとを有しており、全体として略Ｌ字状に形成されている。吐出管４０は、本体部３０の正面前方を中心として、水平面内で約１８０°の範囲で回動自在とされている。吐出管４０には、第１管部４０Ａの上端部から第２管部４０Ｂの先端部に渡って、吐出管側熱湯流通路ＨＰ及び吐出管側湯水流通路ＭＰが形成されている。
【００３２】
吐出管４０は、図６〜図８に示すように、連結部４１、熱湯流通管部材４２、熱湯吐出部４３、湯水流通管部材４４、湯水吐出部４５、及び吐出管カバー部材４６を有している。このような吐出管４０において、吐出管側熱湯流通路ＨＰは、連結部４１、熱湯流通管部材４２、及び熱湯吐出部４３に渡って形成されており、吐出管側湯水流通路ＭＰは、連結部４１、湯水流通管部材４４、及び湯水吐出部４５に渡って形成されている。これら連結部４１、熱湯流通管部材４２、熱湯吐出部４３、湯水流通管部材４４、及び湯水吐出部４５は、吐出管カバー部材４６に収容されている。
【００３３】
図４及び図７に示すように、連結部４１は、第１管部４０Ａの上端部に配置されている。連結部４１はＰＰＳ樹脂製であり、内部に吐出管側熱湯流通路ＨＰ及び吐出管側湯水流通路ＭＰを形成している。連結部４１は上端部が上端に向かうに連れて段差状に縮径する円筒状である。吐出管４０は、この連結部４１の上端部が、本体部３０のハウジング３２に形成された連結穴３２Ｂに回動自在に差し込まれることで、全体として、第１管部４０Ａの中心軸を回動軸とした本体部３０に対する回動が可能とされている。連結部４１は下端部外周が固定ナット４７により覆われている。固定ナット４７は真鍮製である。固定ナット４７は連結部４１に作用するモーメント荷重等を受けて連結部４１の破損を防止する。
【００３４】
連結部４１は、図７に示すように、上端部の側面に熱湯流入口４１Ａが形成されている。熱湯流入口４１Ａは、連結部４１がハウジング３２の連結穴３２Ｂに差し込まれた状態で、ハウジング３２との間に形成される環状空間３２Ｆに連通する。熱湯流入口４１Ａは、環状空間３２Ｆを介して、本体部３０側の吐出用熱湯流通路ＨＤに連通する。熱湯流入口４１Ａは、吐出管４０の第２管部４０Ｂの延伸方向に開口して形成されているが、環状空間３２Ｆに連通しているため、連結部４１の回動に伴う周方向の位置変化に関わらず、本体部３０側の吐出用熱湯流通路ＨＤと常時連通した状態とされる。
【００３５】
また、連結部４１は上端面に湯水流入口４１Ｂが形成されている。湯水流入口４１Ｂは、連結部４１がハウジング３２の連結穴３２Ｂに差し込まれた状態で、本体部３０側の湯水流通路Ｍに連通する。湯水流入口４１Ｂは、連結部４１の軸心に同軸に開口して形成されている。このため、湯水流入口４１Ｂは、連結部４１の回動に伴う周方向の位置の変化が生じず、本体部３０側の湯水流通路Ｍと常時連通した状態とされる。
【００３６】
連結部４１は下端面に熱湯流出口４１Ｃ及び湯水流出口４１Ｄが形成されている。熱湯流出口４１Ｃは、上端部の熱湯流入口４１Ａから流入した熱湯を流出する。湯水流出口４１Ｄは、上端面に開口する湯水流入口４１Ｂから流入した混合湯又は水を流出する。熱湯流出口４１Ｃ及び湯水流出口４１Ｄは、吐出管４０の第２管部４０Ｂの延伸方向に沿って並んで配されている。
【００３７】
熱湯流通管部材４２は、その内部が吐出管側熱湯流通路ＨＰとされている。熱湯流通管部材４２は、図６に示すように、真鍮製の接続エルボ４２Ａと、銅製の直管４２Ｂとを具備している。接続エルボ４２Ａは略Ｌ字形状をなす管継手である。接続エルボ４２Ａは、その上流側端部が連結部４１の熱湯流出口４１Ｃに下方から差し込まれている。接続エルボ４２Ａは、その下流側端部が吐出管４０の第２管部４０Ｂの延伸方向を向いて側方に開口している。接続エルボ４２Ａは下流側端部に直管４２Ｂの上流側端部が差し込まれている。直管４２Ｂは吐出管４０の第２管部４０Ｂ内に、第２管部４０Ｂの延伸方向に沿って配置されている。直管４２Ｂは、図６及び図８に示すように、下流側端部が熱湯吐出部４３に接続されている。熱湯吐出部４３は熱湯吐出弁４３Ａを内蔵している。熱湯吐出弁４３Ａは、流量調整機能付き開閉弁であり、後述する回動式ハンドル６０を回動操作することにより開閉され、熱湯の吐出量を調節することができる。また、熱湯吐出部４３は、この熱湯吐出弁４３Ａを収納する弁収納部４３Ｂと、熱湯吐出弁４３Ａから流出する熱湯を整流するストレーナ部４３Ｃとを具備している。弁収納部４３Ｂ及びストレーナ部４３Ｃはともに金属製である。熱湯吐出部４３を通過した熱湯はストレーナ部４３Ｃの下流端に形成された熱湯吐出口４３Ｄから吐出される。
【００３８】
湯水流通管部材４４は、その内部が吐出管側湯水流通路ＭＰとされている。湯水流通管部材４４は、図６に示すように、真鍮製の接続ソケット４４Ａと、略Ｌ字形状に形成された銅製のＬ字管４４Ｂとを具備している。接続ソケット４４Ａは、直管形状をなす管継手である。接続ソケット４４Ａは、その上流側端部が連結部４１の湯水流出口４１Ｄに下方から差し込まれている。接続ソケット４４Ａは、その下流側端部にＬ字管４４Ｂの上流側端部が下方から差し込まれている。Ｌ字管４４Ｂは、図７に示すように、上流側の端部が第１管部４０Ａ内で上下に延びている。Ｌ字管４４Ｂは、第２管部４０Ｂにおいて、下流側が熱湯流通管部材４２の直管４２Ｂと略平行に延びる形態で、直管４２Ｂの下方に離間して配置されている。Ｌ字管４４Ｂは下流側端部が湯水吐出部４５に接続されている。湯水吐出部４５はＰＰＳ樹脂製であり、その内部にＬ字形状の吐出管側湯水流通路ＭＰが形成されている。湯水吐出部４５を通過した混合湯又は水は、湯水吐出口４５Ａから吐出される。図８に示すように、湯水吐出部４５は、熱湯吐出部４３の弁収納部４３Ｂ及びストレーナ部４３Ｃに隣接して配されているが、ＰＰＳ樹脂製としたことにより、吐出管側熱湯流通路ＨＰからの熱伝導を抑制して吐出管側湯水流通路ＭＰ内の混合湯又は水が温められるのを防止している。すなわち、実施例１において、樹脂により形成されたこの湯水吐出部４５は伝熱抑制部を構成しているといえる。
【００３９】
連結部４１は、上述のような構成により、本発明に係る伝熱抑制部として機能する。すなわち、連結部４１は、樹脂製であり、本発明に係る熱湯流通路としての吐出管側熱湯流通路ＨＰ及び本発明に係る湯水流通路としての吐出管側湯水流通路ＭＰが形成されるとともに、上流側の端部が本体部３０に接続されており、下流側の端部から吐出管側熱湯流通路ＨＰを形成する熱湯流通管部材４２及び吐出管側湯水流通路ＭＰを形成する湯水流通管部材４４が夫々延びている。そして、連結部４１は、吐出管側熱湯流通路ＨＰから吐出管側湯水流通路ＭＰへの熱伝導を抑制する。すなわち、実施例１において、伝熱抑制部は樹脂製の連結部４１を有して構成されている。
【００４０】
また、上述のような構成により、熱湯流通管部材４２及び湯水流通管部材４４は、本発明に係る伝熱抑制部として機能する。すなわち、伝熱抑制部は、熱湯流通管部材４２から湯水流通管部材４４への熱伝導を抑制する。詳細には、吐出管４０は、吐出管側熱湯流通路ＨＰを形成する熱湯流通管部材４２及び吐出管側湯水流通路ＭＰを形成する湯水流通管部材４４が内部に配されている。熱湯流通管部材４２及び湯水流通管部材４４は、離間して並んだ形態で、吐出管４０内を下流側に向かって延伸している。すなわち、実施例１において、伝熱抑制部は、離間して並んだ形態で下流側に向かって延伸する熱湯流通管部材４２及び湯水流通管部材４４を有して構成されているといえる。
【００４１】
吐出管カバー部材４６は第１管部４０Ａ及び第２管部４０Ｂの外殻を構成している。つまり、吐出管カバー部材４６は、熱湯流通管部材４２、熱湯吐出部４３、湯水流通管部材４４、及び湯水吐出部４５を収納している。また、吐出管カバー部材４６は第１管部４０Ａの外殻を構成した部分における上端部に連結部４１及び固定ナット４７の下端部を収納している。吐出管カバー部材４６が外殻を構成した第１管部４０Ａ及び第２管部４０Ｂの夫々は、外観視が略円柱状であり、第１管部４０Ａが第２管部４０Ｂよりも太く形成されている。また、第１管部４０Ａは、混合水栓１が設置状態において、上下方向に延びており、第２管部４０Ｂは第１管部４０Ａの側面から突出するように形成され、横方向に直線上に延びている。
【００４２】
レバー式ハンドル５０は、本体部３０の混合弁３１による混合湯の混合割合及び吐出量を調節する操作ハンドルである。レバー式ハンドル５０は、水平方向に延びる軸及び鉛直方向に延びる軸の２軸周りに回動自在に本体部３０の上部に設けられている。レバー式ハンドル５０は、水平軸周りの回動、すなわち、レバー式ハンドル５０の先端が上下に移動する回動操作により、止水状態も含む混合湯の吐出量を調節する。また、レバー式ハンドル５０は、鉛直軸周りの回動、すなわち、レバー式ハンドル５０の先端が水平に移動する回動操作により、水のみの吐出も含む混合湯の混合割合を調節する。
【００４３】
回動式ハンドル６０は、熱湯吐出口４３Ｄから吐出される熱湯の吐出量を調節する(止水状態も含む)操作ハンドルである。回動式ハンドル６０は吐出管４０の先端部に設けられている。回動式ハンドル６０は、吐出管４０の第２管部４０Ｂの軸心周りに回動自在に設けられている。回動式ハンドル６０は、吐出管４０の外径と略同径の略円柱形状をなしており、その中心軸が吐出管４０の第２管部４０Ｂの中心軸と同軸に吐出管４０の先端に配置されている。
【００４４】
次に、上記のように構成された実施例１の混合水栓１の作用について説明する。
この混合水栓１は、熱湯を吐出する場合、回動式ハンドル６０を操作する。これにより、給湯部１０から供給された熱湯が、接続管１４を介して、本体部３０のハウジング３２の吐出用熱湯流入口３２Ｅから流入する。流入した熱湯は、吐出用熱湯流通路ＨＤ、吐出管側熱湯流通路ＨＰを流通して、熱湯吐出口４３Ｄから吐出される。一方、この混合水栓１は、混合湯又は水を吐出する場合、レバー式ハンドル５０を操作する。このレバー式ハンドル５０によって混合弁３１が操作される。混合弁３１には、混合用熱湯流通路ＨＭ、及び水流通路Ｃが接続されており、これらを流通して供給された熱湯及び水を混合した混合湯又は水を流出する。混合弁３１から流出した混合湯又は水は、湯水流通路Ｍ、及び吐出管側湯水流通路ＭＰを経て湯水吐出口４５Ａから吐出される。
【００４５】
以上のように、実施例１の混合水栓１は、熱湯が流通する熱湯流通路としての混合用熱湯流通路ＨＭ及び吐出用熱湯流通路ＨＤと、水が流通する水流通路Ｃと、混合用熱湯流通路ＨＭ及び吐出用熱湯流通路ＨＤから水流通路Ｃへの熱伝導を抑制する伝熱抑制部としての樹脂製の本体部３０とを備えている。
【００４６】
混合水栓１は、伝熱抑制部としての本体部３０を備えていることにより、混合用熱湯流通路ＨＭ及び吐出用熱湯流通路ＨＤから水流通路Ｃへの熱伝導が抑制される。このため、混合水栓１は、混合用熱湯流通路ＨＭ及び吐出用熱湯流通路ＨＤ内の熱湯の熱が水流通路Ｃ内の水に伝導して水が加温されてしまうのを抑制することができる。
【００４７】
したがって、実施例１の混合水栓１は、混合水栓１は、熱湯からの熱伝導を好適に抑制することができる。
【００４８】
また、混合水栓１は、熱湯と水とを混合した混合湯又は水が流通する湯水流通路Ｍを備えている。そして、伝熱抑制部としての樹脂製の本体部３０は、混合用熱湯流通路ＨＭ及び吐出用熱湯流通路ＨＤから湯水流通路Ｍへの熱伝導を抑制する。このように、伝熱抑制部としての本体部３０は、混合用熱湯流通路ＨＭ及び吐出用熱湯流通路ＨＤから湯水流通路Ｍへの熱伝導を抑制するので、混合用熱湯流通路ＨＭ及び吐出用熱湯流通路ＨＤ内の熱湯の熱が湯水流通路Ｍ内の混合湯又は水に伝導して加温されてしまうのを抑制することができる。
【００４９】
また、混合水栓１は、内部に混合用熱湯流通路ＨＭ、吐出用熱湯流通路ＨＤ、水流通路Ｃ、及び湯水流通路Ｍが形成されるとともに、混合用熱湯流通路ＨＭからの熱湯及び水流通路Ｃからの水を混合して湯水流通路Ｍに流出する混合弁３１を有した樹脂製の本体部３０を備えており、伝熱抑制部はこの本体部３０を有して構成されている。このように、金属と比較して熱伝導率の低い樹脂製の本体部としたことにより、本体部を経由した熱湯流通路から湯水流通路への熱伝導を抑制することができる。
【００５０】
また、混合水栓１は、本体部３０に熱湯を供給する給湯部１０と、本体部３０に水を供給する給水部２０と、が設けられており、本体部３０は、給湯部１０と給水部２０との間に配置されている。そして、伝熱抑制部としての本体部３０は、給湯部１０から給水部２０への熱伝導を抑制している。このように、伝熱抑制部としての本体部３０は、本体部３０を経由した給湯部１０から給水部２０への熱伝導を抑制するので、給湯部１０の熱湯の熱が給水部２０の水に伝導して加温されてしまうのを抑制することができる。
【００５１】
また、混合水栓１は、内部に熱湯流通路としての吐出管側熱湯流通路ＨＰ及び湯水流通路としての吐出管側湯水流通路ＭＰが形成されるとともに、上流側の端部が本体部３０に接続されており、下流側の端部に熱湯流通路を形成する熱湯流通管部材４２及び湯水流通路を形成する湯水流通管部材４４が夫々接続された樹脂製の連結部４１が設けられており、伝熱抑制部は、この連結部４１を有して構成されている。このように、金属と比較して熱伝導率の低い樹脂製の連結部としたことにより、連結部を経由した熱湯流通路から湯水流通路への熱伝導を抑制することができる。
【００５２】
また、混合水栓１は、熱湯流通路としての吐出管側熱湯流通路ＨＰを形成する熱湯流通管部材４２及び湯水流通路としての吐出管側湯水流通路ＭＰを形成する湯水流通管部材４４が内部に配された吐出管４０が設けられている。そして、伝熱抑制部は、熱湯流通管部材４２から湯水流通管部材４４への熱伝導を抑制する。このように、伝熱抑制部は、本体部３０を経由した熱湯流通管部材から湯水流通管部材への熱伝導を抑制するので、熱湯流通管部材の熱湯の熱が湯水流通管部材の混合湯又は水に伝導して加温されてしまうのを抑制することができる。これにより、１つの吐出管４０内を流通する熱湯や混合湯又は水の間の放熱や吸熱が抑制されるので、熱湯及び混合湯又は水を好適に吐出することができる。その結果、熱湯と、混合湯又は水とを吐出する吐出管を別々に設けた場合と比較して小型化することができ、省スペース化を図ることができる。
【００５３】
また、混合水栓１は、伝熱抑制部としての樹脂製の本体部３０を備えたので、熱湯流通路としての混合用熱湯流通路ＨＭ及び吐出用熱湯流通路ＨＤ内の熱湯からの放熱が抑制され、熱湯の温度低下を抑制することができる。
【００５４】
＜実施例２＞
次に、図９等を参照して、実施例２に係る混合水栓２０１について説明する。混合水栓２０１は、給湯部と本体部、及び給水部と本体部の接続形態の点において実施例１と相違する。実施例２の以下の説明において、実施例１と同様の構成には同一の符号を付して詳細な説明を省略する。
【００５５】
図９に示すように、混合水栓２０１は、給湯部２１０、給水部２２０、及び実施例１と同様の本体部３０を備えている。また、混合水栓２０１は、ケース部材２０４、熱湯用接続管２０５、及び水用接続管２０６を備えている。給湯部２１０は給湯側取付脚１１を備えている。しかし、実施例２の給湯部２１０では実施例１の給湯部本体１２に相当する部材を備えておらず、給湯側取付脚１１はその上流側がケース部材２０４に直接取り付けられている。同様に、給水部２２０は給水側取付脚２１を備えているが、実施例１の給水部本体２２に相当する部材を備えていない。給水側取付脚２１は、給湯側取付脚１１と同様、その上流側がケース部材２０４に直接取り付けられている。
【００５６】
ケース部材２０４は真鍮製である。ケース部材２０４は左右方向に長い形態で形成されている。また、ケース部材２０４は本体部３０を収納している。詳細には、ケース部材２０４は左右方向に貫通した収納空間２０４Ａを形成している。ケース部材２０４は、左右の端部の夫々に蓋部材２０４Ｂ，２０４Ｃを螺合により着脱自在に取り付けて各開口を封止している。ケース部材２０４は、この収納空間２０４Ａの左右方向の中央部に本体部３０を収納している。ケース部材２０４は、背面（壁面と対向する面）の左右方向の両端部において給湯部２１０及び給水部２２０に夫々取着されている。なお、ケース部材２０４は、左右方向の中央部の上下面の夫々に図示しない開口が形成されている。これらの開口のうち、上面の開口は、本体部３０レバー式ハンドル５０を本体部３０に接続するための開口であるとともに、本体部３０をケース部材２０４に収納する際にも利用される。下面の開口は吐出管４０を本体部３０に接続するための開口である。
【００５７】
熱湯用接続管２０５はケース部材２０４内に配されている。熱湯用接続管２０５は、給湯部２１０と本体部３０とを接続して給湯部２１０からの熱湯を本体部３０に供給する。詳細には、熱湯用接続管２０５は、給湯側取付脚１１の上流端と、本体部３０のハウジング３２の吐出用熱湯流入口３２Ｅ及び混合用熱湯流入口３２Ｃとを連通する形態で、ケース部材２０４の収納空間２０４Ａにおいて本体部３０の左方に配されている。熱湯用接続管２０５は、給湯部２１０から本体部３０に熱湯を流通する熱湯流通路として機能する。
【００５８】
熱湯用接続管２０５は、第１熱湯用接続管２０５Ａ、第２熱湯用接続管２０５Ｂ、及び第３熱湯用接続管２０５Ｃの３つの管部材を組み合わせて形成されている。これら第１熱湯用接続管２０５Ａ、第２熱湯用接続管２０５Ｂ、及び第３熱湯用接続管２０５ＣはいずれもＰＰＳ樹脂製である。すなわち、熱湯用接続管２０５は本発明に係る伝熱抑制部である。第１熱湯用接続管２０５Ａは、上流側端部が給湯部２１０の給湯側取付脚１１に接続されて前方に延びる形態で配されている。第２熱湯用接続管２０５Ｂは、左右方向に延びる形態で形成されている。第２熱湯用接続管２０５Ｂは、上流端となる左方背面の開口において第１熱湯用接続管２０５Ａが接続されている。また、第２熱湯用接続管２０５Ｂは、下流側の端部となる右方端部において２つの開口が形成される形態で分岐して形成されている。第２熱湯用接続管２０５Ｂは、分岐した下流端の一方が本体部３０のハウジング３２の吐出用熱湯流入口３２Ｅに接続され、他方が本体部３０のハウジング３２の混合用熱湯流入口３２Ｃに第３熱湯用接続管２０５Ｃを介して接続されている。
【００５９】
熱湯用接続管２０５をケース部材２０４に収納する際には、最初に、第３熱湯用接続管２０５Ｃを組み付けた状態の第２熱湯用接続管２０５Ｂをケース部材２０４の左側端部の開口から挿入して本体部３０のハウジング３２に接続する。第２熱湯用接続管２０５Ｂを挿入したら蓋部材２０４Ｂを取り付けてケース部材２０４の開口を封止する。そして、第１熱湯用接続管２０５Ａを背面の開口から挿入して第２熱湯用接続管２０５Ｂに接続する。この状態でケース部材２０４の背面の開口に給湯側取付脚１１を取り付けると、給湯側取付脚１１とハウジング３２とが連通され、給湯部２１０から本体部３０への熱湯の供給が可能となる。
【００６０】
水用接続管２０６はケース部材２０４内に配されている。水用接続管２０６は、給水部２２０と本体部３０とを接続して給水部２２０からの水を本体部３０に供給する。詳細には、水用接続管２０６は、給水側取付脚２１の上流端と、本体部３０のハウジング３２の水流入口３２Ｄとを連通する形態で、ケース部材２０４の収納空間２０４Ａにおいて本体部３０の右方に配されている。水用接続管２０６は、給水部２２０から本体部３０に水を流通する水流通路として機能する。
【００６１】
水用接続管２０６は第１水用接続管２０６Ａ及び第２水用接続管２０６Ｂの２つの管部材を組み合わせて形成されている。これら第１水用接続管２０６Ａ及び第２水用接続管２０６ＢもまたＰＰＳ樹脂製である。すなわち、水用接続管２０６は本発明に係る伝熱抑制部である。第１水用接続管２０６Ａは、上流側端部が給水部２２０の給水側取付脚２１に接続されて前方に延びる形態で配されている。第２水用接続管２０６Ｂは、左右方向に延びる形態で形成されている。第２水用接続管２０６Ｂは、上流端となる右方背面の開口において第１水用接続管２０６Ａが接続されているとともに、下流端となる左方端部の開口において本体部３０のハウジング３２の水流入口３２Ｄに接続されている。
【００６２】
水用接続管２０６をケース部材２０４に収納する際には、最初に、第２水用接続管２０６Ｂをケース部材２０４の右側端部の開口から挿入して本体部３０のハウジング３２に接続する。第２水用接続管２０６Ｂを挿入したら蓋部材２０４Ｃを取り付けてケース部材２０４の開口を封止する。そして、第１水用接続管２０６Ａを背面の開口から挿入して第２水用接続管２０６Ｂに接続する。この状態でケース部材２０４の背面の開口に給水側取付脚２１を取り付けると、給水側取付脚２１とハウジング３２とが連通され、給水部２２０から本体部３０への水の供給が可能となる。
【００６３】
以上のような構成の混合水栓２０１は、実施例１と同様の作用効果を奏する。また、混合水栓２０１は、熱湯を供給する給湯部２１０と、水を供給する給水部２２０と、本体部３０を収納するとともに、給湯部２１０及び給水部２２０に取り付けられた金属製のケース部材２０４と、ケース部材２０４内に配され、給湯部２１０と本体部３０とを接続して給湯部２１０からの熱湯を本体部３０に供給する樹脂製の熱湯用接続管２０５と、ケース部材２０４内に配され、給水部２２０と本体部３０とを接続して給水部２２０からの水を本体部３０に供給する樹脂製の水用接続管２０６と、が設けられている。そして、伝熱抑制部は、これら樹脂製の熱湯用接続管２０５及び樹脂製の水用接続管２０６を有して構成されている。このように、ケース部材２０４の材質を金属製とするとともに、熱湯流通管２０５及び水流通管２０６の材質を金属と比較して熱伝導率の低い樹脂としたことにより、機械的強度を確保しつつ、熱湯用接続管及び水用接続管を経由した熱湯流通路から水流通路への熱伝導を抑制することができる。また、金属製のケース部材２０４内に、伝熱抑制部としての樹脂製の接続管２０５，２０６により熱湯流通路及び水流通路を形成することで、本体部３０の上流側における伝熱も抑制することができる。
【００６４】
本発明は上記記述及び図面によって説明した実施例１及び２に限定されるものではなく、例えば次のような実施例も本発明の技術的範囲に含まれる。
（１）上記実施例１及び２では、Ｌ字状に屈曲した吐出管を備える形態を例示したが、吐出管の形状等は特に限定されない。吐出管は、例えば、いわゆるグースネックのように、曲線状に構成されていてもよい。
（２）上記実施例１及び２では、１つの吐出管内に熱湯流通路及び湯水流通路が形成され、この１つの吐出管から熱湯と、混合湯又は水とを吐出する形態を例示したが、熱湯流通路と湯水流通路とを異なる吐出管に別々に形成する形態であってもよい。
（３）上記実施例１及び２では、伝熱抑制部としてのＰＰＳ樹脂製の本体部を備える形態を例示したが、本体部を備える場合には、本体部が伝熱抑制部であることは必須ではない。また、伝熱抑制部としての本体部を備える場合、その材質は熱伝導率の比較的小さい材質であることが好ましく、且つ耐熱性に優れた材質であることが更に好ましい。
（４）上記実施例１及び２では、伝熱抑制部としてのＰＰＳ樹脂製の連結部を備える形態を例示したが、連結部を備える場合には、連結部が伝熱抑制部であることは必須ではない。また、伝熱抑制部としての連結部を備える場合、その材質は熱伝導率の比較的小さい材質であることが好ましく、且つ耐熱性に優れた材質であることが更に好ましい。
（５）上記実施例２では、伝熱抑制部としてのＰＰＳ製の熱湯用接続管及び水用接続管を備える形態を例示したが、熱湯用接続管及び水用接続管を備える場合には、これらが伝熱抑制部であることは必須ではない。また、伝熱抑制部としての熱湯用接続管及び水用接続管を備える場合、その材質は熱伝導率の比較的小さい材質であることが好ましい。
（６）上記実施例１では、本体部と給湯部及び給水部とを接続する金属製の各接続管を備える形態を例示したが、これは必須ではなく、本体部と給湯部及び給水部とを直接接続する形態としてもよい。また、接続管を備える場合、それらの材質は特に限定されないが、例えば、ＰＰＳ樹脂等の熱伝導率の比較的小さい材質を用いることで伝熱抑制効果を向上させることができる。
（７）上記実施例１及び２では、内部に金属製の熱湯流通管部材及び湯水流通管部材が配された特定構成の吐出管を備える形態を例示したが、これは必須ではない。熱湯流通管部材及び湯水流通管部材を備える場合、それらの材質は樹脂等の他の材質であることができる。また、熱湯流通管部材及び湯水流通管部材の材質として熱伝導率の比較的小さいＰＰＳ樹脂等の材質を用いると、伝熱抑制効果を向上させることができて好ましい。
（８）上記実施例１では、夫々２部材で構成された給湯部及び給水部を備える形態を例示したが、これは必須ではない。給湯部及び給水部を備える場合には、それらを１つ又は３つ以上の部材で夫々構成する形態としてもよい。
【符号の説明】
【００６５】
１，２０１…混合水栓
２…ブラケット
３…カバー部材
１０，２１０…給湯部
１１…給湯側取付脚
１１Ａ…カバー
１２…給湯部本体
１２Ａ，１２Ｂ…熱湯流出口（１２Ａ…混合用熱湯流出口、１２Ｂ…吐出用熱湯流出口）
１３，１４，２３…接続管
２０，２２０…給水部
２１…給水側取付脚
２２…給水部本体
２２Ａ…水流出口
３０…本体部
３１…混合弁
３２…ハウジング
３２Ａ…収納空間
３２Ｂ…連結穴
３２Ｃ，３２Ｄ，３２Ｅ…流入口（３２Ｃ…混合用熱湯流入口、３２Ｄ…水流入口、３２Ｅ…吐出用熱湯流入口）
３２Ｆ…環状空間
４０…吐出管
４０Ａ…第１管部
４０Ｂ…第２管部
４１…連結部
４１Ａ，４１Ｂ…流入口（４１Ａ…熱湯流入口、４１Ｂ…湯水流入口）
４１Ｃ，４１Ｄ…流出口（４１Ｃ…熱湯流出口、４１Ｄ…湯水流出口）
４２…熱湯流通管部材
４２Ａ…接続エルボ
４２Ｂ…直管
４３…熱湯吐出部
４３Ａ…熱湯吐出弁
４３Ｂ…弁収納部
４３Ｃ…ストレーナ部
４３Ｄ…熱湯吐出口
４４…湯水流通管部材
４４Ａ…接続ソケット
４４Ｂ…Ｌ字管
４５…湯水吐出部
４５Ａ…湯水吐出口
４６…吐出管カバー部材
４７…固定ナット
５０…レバー式ハンドル
６０…回動式ハンドル
２０４…ケース部材
２０４Ａ…ケース部材の収納空間
２０４Ｂ，２０４Ｃ…蓋部材
２０５…熱湯用接続管（２０５Ａ…第１熱湯用接続管、２０５Ｂ…第２熱湯用接続管、２０５Ｃ…第３熱湯用接続管）
２０６…水用接続管（２０６Ａ…第１水用接続管、２０６Ｂ…第２水用接続管）
Ｃ…水流通路
ＨＤ，ＨＭ，ＨＰ…熱湯流通路（ＨＤ…吐出用熱湯流通路、ＨＭ…混合用熱湯流通路、ＨＰ…吐出管側熱湯流通路）
Ｍ，ＭＰ…湯水流通路（Ｍ…湯水流通路、ＭＰ…吐出管側湯水流通路）
【図１】
2019044387.tif 000003
【図２】
2019044387.tif 000004
【図３】
2019044387.tif 000005
【図４】
2019044387.tif 000006
【図５】
2019044387.tif 000007
【図６】
2019044387.tif 000008
【図７】
2019044387.tif 000009
【図８】
2019044387.tif 000010
【図９】
2019044387.tif 000011